(57)【要約】【課題】建物の内部で居住者が移動する際の連続動線における、照明器具による照明の状態を実際に近いかたちで体感できる光環境体感用設備を提供する。【解決手段】玄関１１と、玄関ホール１２と、リビング１３及び階段１４とを備え、玄関ホール１２を介した玄関１１と階段１４との間の連続動線、玄関ホール１２を介した玄関１１とリビング１３との間の連続動線、玄関ホール１２を介した階段１４とリビング１３との間の連続動線における照明の状態を体感させる光環境体感用設備１０である。玄関１１と、玄関ホール１２と、リビング１３及び階段１４とには、複数種類の照明器具が照度を調整可能に設けられている。また、玄関１１、玄関ホール１２、リビング１３、及び階段１４の各部に照度検出センサ１６が設けられ、且つ各照明器具の照度を調整する照度操作部１７と、照度検出センサ１６による照度の検出結果を表示する表示部１８とを備える。【選択図】図１
2010199042.tif 000002
【特許請求の範囲】
【請求項１】
少なくとも玄関と、玄関ホールと、玄関ホールに隣接するリビング及び階段とを備え、少なくとも玄関ホールを介した玄関と階段との間の連続動線、玄関ホールを介した玄関とリビングとの間の連続動線、玄関ホールを介した階段とリビングとの間の連続動線における照明の状態を体感させる光環境体感用設備であって、
少なくとも玄関と、玄関ホールと、玄関ホールに隣接するリビング及び階段とには、複数種類の照明器具が、その照度を調整可能に設けられていると共に、各部の照度を検出する照度検出センサが設けられており、
且つ各照明器具の照度を調整する照度操作部と、前記照度検出センサによる照度の検出結果を表示する表示部とを備える光環境体感用設備。
【請求項２】
前記表示部は、表示された照度を得るための電力使用量を表示する機能を有する請求項１記載の光環境体感用設備。
【請求項３】
前記照度操作部及び／又は前記表示部は、携帯可能なポータブルタイプのリモコン装置に設けらている請求項１又は２記載の光環境体感用設備。
【請求項４】
前記リビングに上部吹抜け部が設けられており、該上部吹抜け部には、複数種類の照明器具が、その照度を調整可能に設けられていると共に、その照度を検出する照度検出センサが設けられており、前記リビングの前記上部吹抜け部が設けられていない部分と前記上部吹抜け部との間の連続動線における照明の状態を体感できるようになっている請求項１〜３のいずれかに記載の光環境体感用設備。
【請求項５】
前記階段と連続して、２階ホール、２階廊下、及び個室が設けられており、２階ホール、２階廊下、及び個室には、各々複数種類の照明器具が、その照度を調整可能に設けられていると共に、各部の照度を検出する照度検出センサが設けられており、前記２階ホール及び前記２階廊下を介した前記階段と前記個室との間の連続動線における照明の状態を体感できるようになっている請求項１〜４のいずれかに記載の光環境体感用設備。
【発明の詳細な説明】
【技術分野】
【０００１】
本発明は、光環境体感用設備に関し、特に、屋内の連続動線における照明の状態を体感させるための光環境体感用設備に関する。
【背景技術】
【０００２】
近年、住宅建築物等の建物の内部に設けられる照明器具は、多種多様のものが用いられており、例えばシーリングライト、スポットライト、ダウンライト、ブラケット、足元灯等を挙げることができる。また、照明器具の光源は、蛍光ランプと白熱ランプとに大別することができ、蛍光ランプには、電球色のものや昼白色のものがあり、白熱ランプにもまた、複数種類のものがある。
【０００３】
これらの照明器具を選択して屋内に設置する場合、従来の方法によれば、例えばユーザが、各種の照明器具のカタログを見ながら、専門業者のアドバイスを受けて照明器具の種類や個数、照明器具を設置すべき位置等を決定していたが、カタログを見ただけでは、選択した照明器具が所定の位置に設置された際に実際に体感される明るさや、醸し出される雰囲気等を感じ取ることは困難である。したがって、例えばユーザが建物に居住した後に、カタログを見て予想していた所望の照明の状態が得られない場合も多いことから、このような弊害を回避するために、照明器具による照明の状態を実際に近いかたちで体感できるようにした照明体感設備が種々開発されている（例えば、特許文献１、特許文献２参照）。
【０００４】
ここで、特許文献１の照明体感設備は、密閉可能な部屋の天井部に、照度を連続的に変化させることが可能な複数の電球色の蛍光ランプ及び複数の昼白色の蛍光ランプを光源として設置すると共に、部屋の内部に照度を検出する検出センサと、検出センサで検出された照度を表示する照度計とを設けておき、明るさの変化に伴って生じる種々の現象等を体験学習できるようにしたものである。また特許文献２の照明体感設備は、屋内の天井や壁面や床面に、光源の種類や形態の異なる多数の照明器具を配置すると共に、屋内に家具や室内装飾品、或いは光の照射を受ける被照射体を配置して、体験者が各照明器具による照明を体験できるようにしたものである。
【先行技術文献】
【特許文献】
【０００５】
【特許文献１】特開平１０−２０８５１８号公報
【特許文献２】特開平１０−２０８５２３号公報
【発明の概要】
【発明が解決しようとする課題】
【０００６】
しかしながら、上記従来の照明体感設備は、いずれも一つの部屋の中で、光源の照度を変化させたり、多数の照明器具から適宜選択した一つ又は複数の照明器具を照射させることによって、個々の部屋での照明の状態を体感させるものであり、建物の内部の複数の部屋や部位に跨って移動する際の連続動線として、例えば玄関と各部屋との間で居住者が移動する際や、下階の部屋と上階の部屋との間で居住者が移動する際の連続動線における、照明器具による明るさの変化や雰囲気の変化等の照明の状態を実際に近いかたちで効果的に体感させることは困難である。
【０００７】
本発明は、建物の内部で居住者が移動する際の連続動線における、照明器具による照明の状態を実際に近いかたちで効果的に体感させることのできる光環境体感用設備を提供することを目的とする。
【課題を解決するための手段】
【０００８】
本発明は、少なくとも玄関と、玄関ホールと、玄関ホールに隣接するリビング及び階段とを備え、少なくとも玄関ホールを介した玄関と階段との間の連続動線、玄関ホールを介した玄関とリビングとの間の連続動線、玄関ホールを介した階段とリビングとの間の連続動線における照明の状態を体感させる光環境体感用設備であって、少なくとも玄関と、玄関ホールと、玄関ホールに隣接するリビング及び階段とには、複数種類の照明器具が、その照度を調整可能に設けられていると共に、各部の照度を検出する照度検出センサが設けられており、且つ各照明器具の照度を調整する照度操作部と、前記照度検出センサによる照度の検出結果を表示する表示部とを備える光環境体感用設備を提供することにより、上記目的を達成したものである。
【０００９】
そして、本発明の光環境体感用設備は、前記表示部が、表示された照度を得るための電力使用量を表示する機能を有していることが好ましい。
【００１０】
また、本発明の光環境体感用設備は、前記照度操作部及び／又は前記表示部が、携帯可能なポータブルタイプのリモコン装置に設けらていることが好ましい。
【００１１】
さらに、本発明の光環境体感用設備は、前記リビングに上部吹抜け部が設けられており、該上部吹抜け部には、複数種類の照明器具が、その照度を調整可能に設けられていると共に、その照度を検出する照度検出センサが設けられており、前記リビングの前記上部吹抜け部が設けられていない部分と前記上部吹抜け部との間の連続動線における照明の状態を体感できるようになっていることが好ましい。
【００１２】
さらにまた、本発明の光環境体感用設備は、前記階段と連続して、２階ホール、２階廊下、及び個室が設けられており、２階ホール、２階廊下、及び個室には、各々複数種類の照明器具が、その照度を調整可能に設けられていると共に、各部の照度を検出する照度検出センサが設けられており、前記２階ホール及び前記２階廊下を介した前記階段と前記個室との間の連続動線における照明の状態を体感できるようになっていることが好ましい。
【発明の効果】
【００１３】
本発明の光環境体感用設備によれば、建物の内部で居住者が移動する際の連続動線における、照明器具による照明の状態を実際に近いかたちで効果的に体感させることができる。
【００１４】
また、表示部が、表示された照度を得るための電力使用量を表示する機能を備えるようにすれば、建物の内部で居住者が移動する際の連続動線における、照明器具による照明の状態を、心理量とし＋ての明るさ感と共に、客観的な指標である物理量としての、その明るさ感を実現するために投入される照明用の電力使用量及び照度（例えば水平面照度）によって、実際の建築空間において効果的に体感させることが可能になる。
【図面の簡単な説明】
【００１５】
【図１】本発明の好ましい一実施形態に係る光環境体感用設備が設けられた模擬住宅の１階部分の平面図である。
【図２】本発明の好ましい一実施形態に係る光環境体感用設備が設けられた模擬住宅の２階部分の平面図である。
【発明を実施するための形態】
【００１６】
本発明の好ましい一実施形態に係る光環境体感用設備１０は、図１及び図２に示すように、例えば住宅展示場に設置された、住宅建築物における種々の光環境を体感させるための２階建ての模擬住宅３０の一部として設けられた設備であり、住宅建築物の購入を検討する購入予定者（ユーザ）が、好ましくは営業者に案内されて体感者として内部に立ち入ることにより、種々の光環境の下で、例えば玄関１１から玄関ホール１２を経てリビング１３に至る連続動線や、玄関ホール１２から階段１４を経て２階に至る連続動線における、照明器具による照明の状態を実際に近いかたちで効果的に体感できるようにするための設備として採用されたものである。
【００１７】
そして、本実施形態の光環境体感用設備１０は、少なくとも玄関１１と、玄関ホール１２と、玄関ホール１２に隣接するリビング１３及び階段１４とを備え、少なくとも玄関ホール１２を介した玄関１１と階段１４との間の連続動線、玄関ホール１２を介した玄関１１とリビング１３との間の連続動線、玄関ホール１２を介した階段１４とリビング１３との間の連続動線における照明の状態を体感させる光環境体感用の設備であって、少なくとも玄関１１と、玄関ホール１２と、玄関ホール１２に隣接するリビング１３及び階段１４とには、複数種類の照明器具が、その照度を調整可能に設けられていると共に、玄関１１、玄関ホール１２、リビング１３、及び階段１４の各部の照度を検出する照度検出センサ１６が例えば床部分に設けられており、且つ各照明器具の照度を調整する照度操作部１７と、照度検出センサ１６による照度の検出結果を表示する表示部１８とを備えている。
【００１８】
また、本実施形態では、リビング１３に上部吹抜け部１９が設けられており、この上部吹抜け部１９には、複数種類の照明器具が、その照度を調整可能に設けられていると共に、その照度を検出する照度検出センサ１６が例えば床部分に設けられており、リビング１３の上部吹抜け部１９が設けられていない部分と上部吹抜け部１９との間の連続動線における照明の状態を体感できるようになっている。
【００１９】
さらに、本実施形態では、階段１４と連続して、２階ホール２０、２階廊下２１、及び個室２２，２３が設けられており、２階ホール２０、２階廊下２１、及び個室２２，２３には、各々複数種類の照明器具が、その照度を調整可能に設けられていると共に、２階ホール２０、２階廊下２１、及び個室２２，２３の各部の照度を検出する照度検出センサ１６が例えば床部分に設けられており、２階ホール２０及び２階廊下２１を介した階段１４と個室２２，２３との間の連続動線における照明の状態を体感できるようになっている。
【００２０】
本実施形態では、光環境体感用設備１０は、２階建ての模擬住宅３０の一部として設けられている。ここで、模擬住宅３０の1階部分には、図１に示すように、建物の北側に面した中央部分に玄関ポーチ２４が設けられており、この玄関ポーチ２４の南側に玄関１１が設けられている。玄関１１の南側には、建物の南側に面して玄関ホール１２が設けられており、玄関ポーチ２４、玄関１１、及び玄関ホール１２の東側に隣接して、リビング１３が玄関ホール１２から出入り可能に設けられている。リビング１３の東側の部分は上部吹抜け部１９となっている。また玄関ポーチ２４、玄関１１、及び玄関ホール１２の西側に隣接して、２階への階段１４が玄関ホール１２から出入り可能に設けられている。
【００２１】
階段１４を介して1階部分から昇降する模擬住宅３０の２階部分には、図２に示すように、階段１４の東側に隣接して、２階ホール２０が階段１４から出入り可能に設けられている。２階ホール２０の東側には、南側に面した部分に東側の端部まで致る２階廊下２１が設けられている。２階廊下２１の北側には、洋室となった２部屋の個室２２，２３が２階ホール２０の東側に隣接して２階廊下２１から出入り可能に設けられている。また東側の個室２３の東側の部分は、１階のリビング１３の上部吹抜け部１９となっている。
【００２２】
なお、本実施形態では、模擬住宅３０には、光環境体感用設備１０の西側に配置されて光体感コーナー４０が併設されており、この光体感コーナー４０においては、例えば床の素材による写り込みの差、各メーカーの色々な種類のＬＥＤダウンライトを用いた光の差、色々な種類のスポットライトを用いた光源による壁・照射物（絵画等）への効果の違い、スライドレールを使用した距離の相違による光の差、壁の素材による光の差等を体感できるようになっている。
【００２３】
そして、本実施形態によれば、光環境体感用設備１０の各部屋や各部位には、複数種類の照明器具が、その照度を調整可能に設けられている。
【００２４】
すなわち、玄関ポーチ２４には、ポーチ照明として、ＬＥＤアウトドアライト２４ａが設けられており、これによって例えばＬＥＤの活用を体感できるようになっている。
【００２５】
玄関１１及び玄関ホール１２には、壁付け灯１１ａとしてフラット蛍光灯が設けられており、足元間接光１１ｂとして、シームレスランプが手前及び奥に設けられている。また天井部にシーリングライト１２ａが設けられており、南側の壁面にＬＥＤニッチライト１２ｂが取り付けられている。これらによって、例えば空間の中心の把握、足元間接光１１ｂの取付位置による写り込みの差、ダウンライト以外の照明計画、ＬＥＤの活用等を体感できるようになっている。
【００２６】
リビング１３には、ＴＶ後ろの照明として、調光機能付きのシームレスラインコーニス照明１３ａや２灯のダウンライト１３ｂが取り付けられている。これらによって、例えば動線を考慮したコーニス照明１３ａの納まり、コーニス照明１３ａの注意点、コーニス照明１３ａとダウンライト１３ｂとのイメージの差、ダウンライト１３ｂのエッジラインと距離等を体感できるようになっている。
【００２７】
また、リビング１３には、ダウンライトとして、径１００ｍｍのダイクロイックハロゲン１３ｃ、径１００ｍｍのＬＥＤ１３ｄ、径１００ｍｍの蛍光灯１３ｅ、径１００ｍｍのミニクリプトン１３ｆ、径１００ｍｍのピンスポット１３ｇが設けられている。これらによって、例えば同径、同ピッチでの光源種類を体験（明るさの感覚、効果の違い）できると共に、ダウンライトの集中と均等のイメージを体感できるようになっている。また例えば蛍光灯ダウンライト１３ｅとＬＥＤダウンライト１３ｄとの均等配灯や、ＬＥＤダウンライト１３ｄだけの空間を体感できるようになっている。そして、シーリングライトとして蛍光灯シーリングライト１３ｈが設けられており、これらによって、例えばシーリングライト及び／又はダウンライトによる照明計画の見直しを体感できるようになっている。
【００２８】
さらに、リビング１３の上部吹抜け部１９と隣接する部分には、ダウンライトとして、径１２５ｍｍの蛍光灯１３ｉ、径１２５ｍｍのミニクリプトン１３ｊ、径１２５ｍｍ角の蛍光灯１３ｋ、径１２５ｍｍのウォールウォッシャー１３ｌが設けられている。これらによって、例えばダウンライトとダウンライトとの距離の差によるエッジの出方等の効果の相違、ダウンライトと壁との距離の差によるエッジの出方等の効果の相違、角形ダウンライト１３ｋの壁へのエッジの出方、ウォールウォッシャー１３ｌの壁への効果等を体感できるようになっている。
【００２９】
リビング１３の上部吹抜け部１９には、これの吹抜け下部に、アッパータイプブラケット１９ａ、下向きタイプブラケット１９ｂ、透過型ブラケット１９ｃ、不透過型ブラケット１９ｄが設けられている。これらによって、例えば素材、配光の異なる壁付け灯の明るさなどの効果の比較等を体感できるようになっている。
【００３０】
また、リビング１３の上部吹抜け部１９には、吹き抜けの照明として、透過型蛍光灯ブラケット１９ｅ、不透過型蛍光灯ブラケット１９ｆが設けられている。これらによって、例えば素材の相違による効果の差等を体感できるようになっている。さらに、上部吹抜け部１９には、透過型スポット１９ｇ、不透過型スポット１９ｈ、ペンダント１９ｉ、手摺上ＬＥＤダウンライト１９ｊが設けられている。これらによって、例えば素材の相違による効果の差、スポットライトの方向による効果の差、吹き抜けの照明技法の種類等を体感できるようになっている。
【００３１】
階段１４には、高さの異なる位置に上下２段にブラケット１４ａが設けられており、これによって例えばランプの交換体験による適正な取付け位置を体感できるようになっている。また、足元灯１４ｂが設けられており、これによって例えば階段照明としての足元灯１４ｂの効果や、補助照明としての足元灯１４ｂの効果を体感できるようになっている。さらに、径１００ｍｍの蛍光灯ダウンライト１４ｃ、径１２５ｍｍのＬＥＤダウンライト１４ｄが設けられており、これらによって例えば階段手摺上のダウンライトの明るさ体験や、階段上ダウンライトのランプ交換の体験をすることができるようになっている。
【００３２】
２階ホール２０には、径１２５ｍｍの蛍光灯ダウンライト２０ａが設けられており、これによって例えば階段１４のブラケット１４ａと２階ホール２０のダウンライト２０ａによる計画を体感できるようになっている。また、コープ照明として、天井とのクリアランスが１５０ｍｍのシームレスライン２０ｂ、天井とのクリアランスが２５０ｍｍのシームレスライン２０ｃ、天井とのクリアランスが１５０ｍｍのＬＥＤベースライト２０ｄが設けられている。これらによって、例えばコープ照明のクリアランスによる光の広がりの差や、シームレスライン２０ｂ，２０ｃとＬＥＤベースライト２０ｄの印象の違いを体感できるようになっている。さらに、コープ照明として、幕板の高さが有効ランプ高さとなっているシームレスライン２０ｅ、幕板の高さが１００ｍｍのシームレスライン２０ｆ、幕板の高さが２０ｍｍのシームレスライン２０ｇが設けられている。これらによって、例えばコープ照明の幕板の高さによる光の広がりの差を体感できるようになっている。
【００３３】
２階廊下２１の個室２２，２３に面した部分には、コーニス照明として、シームレスライン２１ａが設けられており、これによって動線による見えがかりの確認（コーニス照明の失敗例）を体感できるようになっている。また、蛍光灯ダウンライト２１ｂが３灯、グレアレスダウンライト２１ｃが２灯設けられている。これらによって、例えば３灯と２灯と１灯による明るさの確認や、グレアレスダウンライト２１ｃによる配光の確認を体感できるようになっている。
【００３４】
２部屋の個室２２，２３には、各々蛍光灯シーリング２２ａ，２３ａが設けられていると共に、一方の個室２２の床の色がダークブラウン、他方の個室２３の床の色がライトブラウンとなっている。これらによって、例えば同じ照明器具でも床の色によってどのように見えるか（床材の色による明るさ感の違い）を体感できるようになっている。また、一方の個室２２には、コープ照明として、シームレスライン２２ｂ、トラフ型蛍光灯２２ｃ、ミニキセノン２２ｄが設けられている。これらによって、例えば光源と器具の差による見え方の相違を体感できるようになっている。さらに、他方の個室２３には、コープ照明として、端までのシームレスライン２３ｂ、両端明けのシームレスライン２３ｃが設けられている。これらによって、例えば器具の設置方法による見え方の相違を体感できるようになっている。
【００３５】
２階廊下２１のリビング１３の上部吹抜け部１９に面した部分には、吹抜け部の灯りとして、ユニバーサルダウンライト２１ｄ、高効率タイプの手摺上ＬＥＤダウンライト２１ｅが設けられている。これらによって、例えばユニバーサル体験ができるようになっていると共に、上部吹抜け部１９に面した２階廊下２１のダウンライトによる効果を体感できるようになっている。
【００３６】
そして、これらの各部屋や各部位に設けられた多数の照明器具は、例えば１階のリビング１３の南側の内壁面に取り付けた照度操作部１７としての操作パネルと、例えば有線又は無線のネットワークを介して各々接続されており、操作パネル１７からの操作によって、各照明器具を照射させたり、その照度を調整したりすることができるようになっている。また操作パネル１７を、例えばコンピュータを用いた制御部等と接続しておき、所定のプログラムに従って、所定の順序で各照明器具を自動的に照射させたり、照度を自動的に調整させたりすることも可能である。
【００３７】
また、本実施形態では、各部屋や各部位に設けられた照度検出センサ１６は、例えば操作パネル１７と併設して設けられた表示部１８と、例えば有線又は無線のネットワークを介して各々接続されており、照度検出センサ１６による照度の検出結果を、表示部１８に表示することができるようになっている。
【００３８】
さらに、本実施形態では、表示部１８は、例えば有線又は無線のネットワークを介して各照明器具に電力を供給する際の電力計と接続しており、これによって表示部１８に、表示された照度を得るための電力使用量を表示できるようになっている。すなわち、各部屋や各部位に設置された照明器具には、これらの照明器具への配線の途中に電力計が各々取り付けられており、照明器具に供給された電力を電力計からの出力信号として表示部１８に出力することで、所定の照度を得るための電力使用量を表示できるようになっている。
【００３９】
ここで、照度操作部１７や表示部１８は、携帯可能なポータブルタイプのリモコン装置に設けることもできる。照度操作部１７や表示部１８をポータブルタイプのリモコン装置に設けることによって、営業者や体感者が光環境体感用設備１０の内部を移動しながら、手元の操作によってリアルタイムで任意の照明器具を照射させたり、リアルタイムで照明器具の照度を調整することが可能になり、利便性が向上すると共に、任煮の明るさに変化した各部屋や各部位の照度や電力使用量を手元で容易に確認することが可能になる。
【００４０】
そして、上述の構成を有する本実施形態の光環境体感用設備１０によれば、建物の内部で居住者が移動する際の連続動線における、照明器具による照明の状態を実際に近いかたちで効果的に体感させることが可能になる。すなわち、本実施形態によれば、少なくとも玄関１１と、玄関ホール１２と、玄関ホール１２に隣接するリビング１３及び階段１４とには、複数種類の照明器具が、その照度を調整可能に設けられていると共に、玄関１１、玄関ホール１２、リビング１３、及び階段１４の各部の照度を検出する照度検出センサ１６が設けられているので、各部において照射すべき照明器具を選択すると共に各照明器具の照度を調整しながら、例えば住宅建築物において移動が頻繁に繰り返される、少なくとも玄関ホール１２を介した玄関１１と階段１４との間の連続動線、玄関ホール１２を介した玄関１１とリビング１３との間の連続動線、玄関ホール１２を介した階段１４とリビング１３との間の連続動線に沿って、体感者が繰り返し移動することにより、これらの連続動線における複数の照明の状態を、実際に近いかたちで容易に且つ効果的に体感することが可能になる。
【００４１】
また、本実施形態によれば、各照明器具の照度を調整する照度操作部１７と、照度検出センサ１６による照度の検出結果を表示する表示部１８とを備えているので、表示部１８に各部の照度やその時の電力使用量を表示させることによって、建物の内部に設置すべき照明器具の選択や配置を、さらに経済的に行うことが可能になる。
【００４２】
特に、表示部１８が、表示された照度を得るための電力使用量を表示する機能を備えているので、建物の内部で居住者が移動する際の連続動線における、照明器具による照明の状態を、心理量としての明るさ感と共に、客観的な指標である物理量としての、その明るさ感を実現するために投入される照明用の電力使用量及び照度（例えば水平面照度）によって、実際の建築空間において効果的に体感させることが可能になる。
【００４３】
なお、本発明は上記実施形態に限定されることなく種々の変更が可能である。例えば、表示部は、表示された照度を得るための電力使用量を表示する機能を有している必要は必ずしもなく、またリビングに上部吹抜け部を設ける必要は必ずしもない。さらに、階段と連続して、２階ホール、２階廊下、個室等を設ける必要は必ずしもない。さらにまた、本発明の光環境体感用設備は、住宅展示場に設置された２階建ての模擬住宅の一部として設ける必要は必ずしも無く、研究施設やその他のモデルーム等として設けることもできる。また、照度検出センサは、各部屋や各部位の床部分に設ける必要は必ずしも無く、空間の所定の位置の照度を検出できる機能を有する照度検出センサを、天井部分に取り付けて用いることもできる。さらに、照度検出センサを、例えば照度操作部や表示部と共に、携帯可能なポータブルタイプのリモコン装置に取り付けて用いることにより、より効果的に照度を検出することも可能である。
【符号の説明】
【００４４】
１０  光環境体感用設備
１１  玄関
１２  玄関ホール
１３  リビング
１４  階段
１６  照度検出センサ
１７  照度操作部（操作パネル）
１８  表示部
１９  上部吹抜け部
２０  ２階ホール
２１  ２階廊下
２２，２３  個室
２４  玄関ポーチ
３０  模擬住宅
【図１】
2010199042.tif 000003
【図２】
2010199042.tif 000004